(57)【要約】【課題】容易に着脱交換可能なモジュール化された空気濾過装置を提供する。【解決手段】モジュール化された空気濾過装置は、筐体モジュール１、静電吸着モジュール２及び高低電圧供給モジュール３を備える。筐体モジュール１は、外筐体１１を有する。外筐体１１は、収容空間１２を有する。収容空間１２の互いに対応した２つの側部には、側面開口１３がそれぞれ設けられ、対応した２つの側面開口１３の一側には、装着口１４が形成される。側面開口１３には、吸排気口を有する導風側板１５が対応して取り付けられる。外筐体１１の収容空間１２の底部には、出油孔１６が形成される。出油孔１６には、外方へ延びた延伸管が接続される。【選択図】図１
0003220707.tif 000002
【実用新案登録請求の範囲】
【請求項１】
筐体モジュール、静電吸着モジュール及び高低電圧供給モジュールを備えた、モジュール化された空気濾過装置であって、
前記筐体モジュールは、外筐体を有し、前記外筐体は、収容空間を有し、前記収容空間の互いに対応した２つの側部には、側面開口がそれぞれ設けられ、対応した２つの前記側面開口の一側には、装着口が形成され、前記側面開口には、吸排気口を有する導風側板が対応して取り付けられ、前記外筐体の前記収容空間の底部には、出油孔が形成され、前記出油孔には、外方へ延びた延伸管が接続され、
前記静電吸着モジュールは、前記装着口を介して前記外筐体の前記収容空間に嵌入され、フレームワークと、前記フレームワーク内に組み立てられた複数の第１の極片と、前記第１の極片に隣り合うように設けられた複数の第２の極片と、を有し、複数の前記第１の極片には、正に帯電した高圧分離領域が形成され、複数の前記第２の極片には、負に帯電した低圧吸着領域が形成され、
前記高低電圧供給モジュールは、封口座を有し、前記封口座は、前記外筐体の前記装着口を閉止するように対応して取り付けられ、前記封口座上には、高低電圧供給装置、２つの出力端子及びソケットセットが設けられ、前記高低電圧供給装置には、２つの出力端子が電気的に接続され、前記２つの出力端子は、高電圧及び低電圧をそれぞれ出力する前記静電吸着モジュールの前記第１の極片及び前記第２の極片と電気的に接続され、前記高低電圧供給装置には、前記ソケットセットが電気的に接続され、前記ソケットセットは、外部電源に接続されることを特徴とする、モジュール化された空気濾過装置。
【請求項２】
前記外筐体の前記収容空間の互いに対応した２つの前記側面開口には、軌道がそれぞれ設けられ、前記軌道は前記装着口に対応するとともに、前記静電吸着モジュールは、前記収容空間内に収容され、
緩み防止装置をさらに備え、前記緩み防止装置は、前記フレームワーク上に形成された凹溝を含み、
前記外筐体の前記装着口には、突出部材が設けられ、
前記突出部材は、前記凹溝を介して前記静電吸着モジュールにより前記外筐体内に正確に取り付けられることを特徴とする請求項１に記載のモジュール化された空気濾過装置。
【請求項３】
前記外筐体の前記収容空間の頂部には、油受け槽が形成され、
前記油受け槽の一端には、切欠きが形成され、前記外筐体の外側頂部に対応した前記油受け槽には、穿孔が形成され、前記穿孔には、前記延伸管が嵌入され、
前記外筐体の底部周辺には、嵌杆が設けられ、
前記外筐体の頂部には、前記嵌杆が対応するように嵌設される嵌孔が形成されることを特徴とする請求項２に記載のモジュール化された空気濾過装置。
【考案の詳細な説明】
【技術分野】
【０００１】
本考案はモジュール化された空気濾過装置に関し、特に、容易に着脱交換可能なモジュール化された空気濾過装置に関する。
【背景技術】
【０００２】
一般に、料理を行うと、その過程で油煙、異臭及び湯気などが大量に発生することがあり、特にレストラン、焼肉料理店、食堂などの場所で最も多く発生し、もし適切に処理されない場合、空気が汚染されて、健康に悪影響を与えてしまうことがあった。
【０００３】
営業する場所で発生する油煙、異臭及び湯気などの廃ガスに関し、政府は多くの法令を規定している。そのため、関連法令に合致するように、レストラン、焼肉店、食堂などの営業場所には、換気扇と、屋外に連通して油煙を屋外へ排出する排気ダクトと、が取り付けられていることが一般的である。換気ダクトには、所謂、油煙浄化（濾過）装置が取り付けられ、廃ガスに含まれる油煙、異臭及び湯気を濾過し、屋外に排出されるガスが、空気汚染の基準値以下となるようにされていた。一般の油煙浄化装置は、筐体の収容装置内に、複数のフィルターを設置し、排出される廃ガスが筐体を通過すると、フィルターにより廃ガス中の油煙、異臭及び湯気が濾過されるが、フィルターは、頻繁に交換する必要があり、費用が多くかかった。また、フィルターを交換する際、作業員の工具が油汚れによりベトベトに汚れてしまう上、フィルターのみで油煙の異臭、湯気などを除去するには限界があった。
【０００４】
静電集塵の基本原理には、電圧を印加して電荷の異なる極は引き合い、同じ極は反発しあう原理が利用され、２つの極が異なる電界を形成し、油煙、廃ガスの粒子を帯電させた後、集塵板を移動して集塵板に付着させ、空気を浄化する。
【０００５】
しかし、換気装置の組立は、現場の広さにより評価され、従来のレストランの天井空間は小さいため、配管が乱雑で、油煙の排出が容易でなく、油煙が内部に入り込むと消費者が食事を終えた後、油煙の臭いが体に染みついてしまい、レストランの売り上げが下がるとともに、台湾、日本などでは土地の値段が非常に高いため、店舗の家賃が非常に高かった。そのため、面積が小さい店舗が多く、その場合、換気扇の組立が面倒であり、吸引力が大きい換気扇は取り付けることが困難である上、吸引力が小さい換気扇では飲食業を営む店舗にとって十分でなかった。換気扇を交換して洗浄する場合、専門家が分解して取り付ける必要があり、コストが高い上、休業して行う必要があった。そのため、急に故障しても直ちに対処することができず、飲食業の店舗にとって負担が大きかった。
【０００６】
こうした現状に鑑み、本考案者は鋭意研究を重ねた結果、本考案を完成したものである。
【考案の概要】
【考案が解決しようとする課題】
【０００７】
本考案の主な目的は、容易に着脱交換可能なモジュール化された空気濾過装置を提供することにある。
【課題を解決するための手段】
【０００８】
上記課題を解決するために、本考案の第１の形態によれば、筐体モジュール、静電吸着モジュール及び高低電圧供給モジュールを備えた、モジュール化された空気濾過装置であって、前記筐体モジュールは、外筐体を有し、前記外筐体は、収容空間を有し、前記収容空間の互いに対応した２つの側部には、側面開口がそれぞれ設けられ、対応した２つの前記側面開口の一側には、装着口が形成され、前記側面開口には、吸排気口を有する導風側板が対応して取り付けられ、前記外筐体の前記収容空間の底部には、出油孔が形成され、前記出油孔には、外方へ延びた延伸管が接続され、前記静電吸着モジュールは、前記装着口を介して前記外筐体の前記収容空間に嵌入され、フレームワークと、前記フレームワーク内に組み立てられた複数の第１の極片と、前記第１の極片に隣り合うように設けられた複数の第２の極片と、を有し、複数の前記第１の極片には、正に帯電した高圧分離領域が形成され、複数の前記第２の極片には、負に帯電した低圧吸着領域が形成され、前記高低電圧供給モジュールは、封口座を有し、前記封口座は、前記外筐体の前記装着口を閉止するように対応して取り付けられ、前記封口座上には、高低電圧供給装置、２つの出力端子及びソケットセットが設けられ、前記高低電圧供給装置には、２つの出力端子が電気的に接続され、前記２つの出力端子は、高電圧及び低電圧をそれぞれ出力する前記静電吸着モジュールの前記第１の極片及び前記第２の極片と電気的に接続され、前記高低電圧供給装置には、前記ソケットセットが電気的に接続され、前記ソケットセットは、外部電源に接続されることを特徴とする、モジュール化された空気濾過装置を提供する。
【０００９】
前記外筐体の前記収容空間の互いに対応した２つの前記側面開口には、軌道がそれぞれ設けられ、前記軌道は前記装着口に対応するとともに、前記静電吸着モジュールは、前記収容空間内に収容され、緩み防止装置をさらに備え、前記緩み防止装置は、前記フレームワーク上に形成された凹溝を含み、前記外筐体の前記装着口には、突出部材が設けられ、前記突出部材は、前記凹溝を介して前記静電吸着モジュールにより前記外筐体内に正確に取り付けられることが好ましい。
【００１０】
前記外筐体の前記収容空間の頂部には、油受け槽が形成され、前記油受け槽の一端には、切欠きが形成され、前記外筐体の外側頂部に対応した前記油受け槽には、穿孔が形成され、前記穿孔には、前記延伸管が嵌入され、前記外筐体の底部周辺には、嵌杆が設けられ、前記外筐体の頂部には、前記嵌杆が対応するように嵌設される嵌孔が形成されることが好ましい。
【考案の効果】
【００１１】
本考案のモジュール化された空気濾過装置は、以下（１）及び（２）の効果を有する。
（１）モジュール化された組み立てを利用し、組立作業者又は使用者が洗浄、交換又は損壊したときに容易に分解して操作することができる上、低コストかつ短時間に行うことができ、実用的である。
（２）モジュール化された組み立ては、工場の大きさに応じて配置することができ、使用者の必要に応じて設計して好ましい効果が得られる。
【図面の簡単な説明】
【００１２】
【図１】本考案の一実施形態に係るモジュール化された空気濾過装置を示す分解斜視図である。
【図２】本考案の一実施形態に係るモジュール化された空気濾過装置を示す組立斜視図である。
【図３】本考案の一実施形態に係るモジュール化された空気濾過装置の複数の組立分解斜視図である。
【図４】本考案の一実施形態に係るモジュール化された空気濾過装置の複数の組立平面図である。
【図５】本考案の一実施形態に係るモジュール化された空気濾過装置のソケットセットを示す底面斜視図である。
【図６】本考案の一実施形態に係るモジュール化された空気濾過装置を油が通る経路を示す模式図である。
【考案を実施するための形態】
【００１３】
本考案の技術手段、目的及びそれにより達成可能な効果を、より完全かつ明白に開示するために、開示した添付の図面及び符号と併せて本考案を以下詳説する。
【００１４】
図１及び図２を参照する。図１は、本考案の一実施形態に係るモジュール化された空気濾過装置を示す分解斜視図である。図２は、本考案の一実施形態に係るモジュール化された空気濾過装置を示す組立斜視図である。
【００１５】
図１及び図２に示すように、本考案の一実施形態に係るモジュール化された空気濾過装置は、少なくとも筐体モジュール１、静電吸着モジュール２及び高低電圧供給モジュール３から構成されてなる。
【００１６】
筐体モジュール１は、外筐体１１を有する。外筐体１１は、収容空間１２を有する。収容空間１２の互いに対応した２つの側部には、側面開口１３がそれぞれ設けられる。互いに対応した２つの側面開口１３の一側には、装着口１４が形成される。上述した側面開口１３には、吸排気口を有する導風側板１５が対応して取り付けられ、上述した外筐体１１の収容空間１２の底部には、出油孔１６が形成される。上述した出油孔１６には、外方へ延びた延伸管１６１が接続される。
【００１７】
静電吸着モジュール２は、装着口１４を介して外筐体１１の収容空間１２に嵌入され、フレームワーク２１と、フレームワーク２１内に組み立てられた複数の第１の極片２２と、第１の極片２２に隣り合うように設けられた複数の第２の極片２３と、を有する。上述した複数の第１の極片２２には、正に帯電した高圧分離領域が形成される。上述した複数の第２の極片２３には、負に帯電した低圧吸着領域が形成される。
【００１８】
高低電圧供給モジュール３は、封口座３１を有する。上述した封口座３１は、上述した外筐体１１の装着口１４を閉止するように対応して取り付けられる。上述した封口座３１上には、高低電圧供給装置３２、２つの出力端子３３及びソケットセット３４が設けられる。上述した高低電圧供給装置３２には、２つの出力端子３３が電気的に接続される。２つの出力端子３３には、高電圧及び低電圧をそれぞれ出力する第１の極片２２及び第２の極片２３と電気的に接続される。上述した高低電圧供給装置３２には、上述したソケットセット３４が電気的に接続される。上述したソケットセット３４は、外部電源に接続される。
【００１９】
図１及び図２を参照する。図１及び図２に示すように、本考案の一実施形態に係るモジュール化された空気濾過装置を実際に組み立てる際、上述した筐体モジュール１、上述した静電吸着モジュール２及び上述した高低電圧供給モジュール３は、上述した部材によりモジュール化されて出荷されるため、組み立てを行う作業者又は使用者は、現場の状況に応じて組立てることができる。使用する場所が狭くて油煙の量が少ない一般家庭、小さなキッチンで使用する場合、単一の空気濾過装置を組立てる際、現場で取り付ける筐体モジュール１を予め製作しておいてから、上述した筐体モジュール１の外筐体１１の２つの側面開口１３の導風側板１５の一側に、油煙を吸引する吸油煙口を形成し、他側には、油煙を排出する排油煙口を形成する。上述した静電吸着モジュール２を組立てるときは、正に帯電した第１の極片２２を吸油煙口の端側に対応して位置させ、負に帯電した第２の極片２３を排油煙口の端側に対応して位置させ、上述した外筐体１１の装着口１４端から嵌入させ、上述した静電吸着モジュール２を取り出す際、上述したフレームワーク２１上に設けたハンドル２４を利用すると、使用者は、容易に上述した静電吸着モジュール２が対応した上述した外筐体１１を持って取り外すことができる。また、上述した外筐体１１の収容空間１２の対応した２つの側面開口１３には、軌道１２１がそれぞれ設けられている。上述した軌道１２１を利用すると、上述した静電吸着モジュール２を上述した収容空間１２内に容易に収容して取り付けることができる。
【００２０】
その後、上述した高低電圧供給モジュール３の封口座３１を、上述した外筐体１１の装着口１４を閉止するように対応して取り付ける。封口座３１と導風側板１５とは、螺設方式により組み立て、上述した外筐体１１の装着口１４には、逆流防止接着バーＡが設けられる。上述した逆流防止接着バーＡが提供する上述した封口座３１は、上述した外筐体１１に強固にねじ止めすると、油煙が漏れ出ることを防ぐことができる。続いて、上述した２つの出力端子３３には、高電圧及び低電圧をそれぞれ出力する上述した静電吸着モジュール２の極片２２，２３がそれぞれ電気的に接続され、正に帯電した高圧分離領域と、負に帯電した低圧分離領域とが第１の極片２２及び第２の極片２３に形成される。最後に、上述した外筐体１１の底部の延伸管１６１には、油を流出させる管体が接続される。
【００２１】
図１〜図６を参照する。図１〜図６に示すように、現場を営業用キッチンとして使用する際、面積が大きくない場合、現有する空間に複数の空気濾過装置を積層して組み立てる。単一の空気濾過装置の実施方式については、ここでは詳説しない。第２組の空気濾過装置を組立てる際、上述した外筐体１１の底部周辺には嵌杆１７が設けられ、上述した外筐体１１の頂部には、嵌杆１７に対応した箇所に、互いに嵌設されて位置決めされた嵌孔１８が形成され、２組の空気濾過装置が位置決めされる。また、上述した外筐体１１の収容空間１２の頂部には、油受け槽１９が形成される。上述した油受け槽１９の一端には切欠き１９１が形成され、上述した外筐体１１の外側頂部に対応した油受け槽１９には、穿孔１９２が形成される。上述した穿孔１９２には、延伸管１６１が嵌入される。そのため、第２組の空気濾過装置の筐体モジュール１中の外筐体１１底部の上述した延伸管１６１は、第１組の空気濾過装置の外筐体１１の頂部の穿孔１９２に対応して嵌入される。
【００２２】
その後、上述した外筐体１１の２つの側面開口１３に導風側板１５を取付ける際、その吸排油煙口の位置は、第１組の空気濾過装置と反対であり、第１組の空気濾過装置の排油煙口端により、蛇腹管を介して第２組の空気濾過装置の吸油煙口に取り付けられ（上方へ継続的に積層して組み立てられ、２つの互いに隣り合う空気濾過装置の吸排油煙口の位置が反対である）、この場合、上述した静電吸着モジュール２の方向を反対にしなければならず（第１組の空気濾過装置と反対である）、正に帯電した第１の極片２２は、吸油煙口端側に対応して位置し、負に帯電した第２の極片２３は、排油煙口端側に対応して位置する。また、組立てが失敗することを防ぐために緩み防止装置４が設けられてもよい。上述した緩み防止装置４は、上述した静電吸着モジュール２の組立を間違うことを防ぐために、上述したフレームワーク２１上に形成された凹溝４１が含まれてもよい。上述した凹溝４１が上述した第１の極片２２と第２の極片２３との間又は適宜な箇所に位置決めされ、上述した外筐体１１の装着口１４には、突出部材４２が設けられる。上述した突出部材４２は、上述した凹溝４１を介して上述した静電吸着モジュール２により上述した外筐体１１内に正確に組み立てる。
【００２３】
また、上述した高低電圧供給モジュール３の封口座３１は、上述した外筐体１１の装着口１４を閉止するように対応して組み立てられる。第１組の空気濾過装置の電源は、上述したソケットセット３４から供給された後、互いに隣り合う２つの空気濾過装置も上述したソケットセット３４上には、上述した封口座３１の外部から出力され、出力ソケット３４１，３４２により電気的に接続される（図５を参照する）。
【００２４】
図６に示すように、積層された空気濾過装置を実際に使用する際、取り囲む経路により、上述した静電吸着モジュール２は油煙に吸着した油分子を濾過し、上述した静電吸着モジュール２の第１の極片２２及び第２の極片２３が油分子を吸着した後、上述した外筐体１１の底部に滴下され、出油孔１６を通って延伸管１６１を介して次の空気濾過装置の外筐体１１の穿孔１９２に流れ、上述した油受け槽１９内に滴下し、上述した油受け槽１９の切欠き１９１により、上述した外筐体１１の壁面から底部の出油孔１６へ流れ、第１組の空気濾過装置の出油孔１６から油が流出される。また、上述した静電吸着モジュール２を洗浄したり交換したりする際、着脱方式により上述した高低電圧供給モジュール３と上述した静電吸着モジュール２とを分離することができるため、洗浄したり交換したりする際、容易に組立てて使用することができる。
【００２５】
上述したことから分かるように、本考案のモジュール化された空気濾過装置は、従来の構造と比べ、以下（１）及び（２）の長所を有する。
（１）モジュール化された組み立てを利用し、組立作業者又は使用者が洗浄、交換又は損壊したときに容易に分解して操作することができる上、低コストかつ短時間に行うことができ、実用的である。
（２）モジュール化された組み立ては、工場の大きさに応じて配置することができ、使用者の必要に応じて設計して好ましい効果が得られる。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１      筐体モジュール
２      静電吸着モジュール
３      高低電圧供給モジュール
４      緩み防止装置
１１    外筐体
１２    収容空間
１３    側面開口
１４    装着口
１５    導風側板
１６    出油孔
１７    嵌杆
１８    嵌孔
１９    油受け槽
２１    フレームワーク
２２    第１の極片
２３    第２の極片
２４    ハンドル
３１    封口座
３２    高低電圧供給装置
３３    出力端子
３４    ソケットセット
４１    凹溝
４２    突出部材
１２１  軌道
１６１  延伸管
１９１  切欠き
１９２  穿孔
３４１  出力ソケット
３４２  入力ソケット
Ａ      逆流防止接着バー
【図１】
0003220707.tif 000003
【図２】
0003220707.tif 000004
【図３】
0003220707.tif 000005
【図４】
0003220707.tif 000006
【図５】
0003220707.tif 000007
【図６】
0003220707.tif 000008